(57)【要約】【課題】専用の端子引抜き用抜き治具を廃止して抜き治具の管理を容易にする。【解決手段】係合部４１を具備する端子金具４０と、端子金具４０が収容される端子収容室１１と、可撓性を有するランス２１と、ランス２１に端子収容室１１内へ突出する係止部２２とを備え、係合部４１が係止部２２に係合し、端子金具４０が端子収容室１１内に保持されるコネクタ１に、ランス２１の係止部２２の背面側に、端子挿入方向に対して斜めに形成された受動部２３と、端子収容室１１の対向する両側壁１３に、長孔形状に、且つ一端側に受動部２３が突出するように形成される係合解除孔３１とを設け、係合解除孔３１の他端側に挿入した棒材６０を一端側へスライドさせ、棒材６０で受動部２３を押して、ランス２１を撓み変形させ、係止部２２と係合部４１の係合を解除する。【選択図】図４
2009205906.tif 000002
【特許請求の範囲】
【請求項１】
係合部を具備し、電線の一端に配置される端子金具と、該端子金具が収容される端子収容室と、該端子収容室を形成する壁に可撓性を有するランスと、該ランスに該端子収容室内へ突出する係止部とを備え、
該端子収容室の背面側から該端子金具を挿入した際に、該係合部が該係止部に係合し、該端子金具が該端子収容室内に保持されるコネクタであって、
前記ランスの前記係止部の背面側に、端子挿入方向に対して斜めに形成された受動部と、
前記端子収容室の対向する両側壁に、長孔形状に、且つ一端側に該受動部が突出するように形成される係合解除孔とを備え、
該係合解除孔の他端側に挿入した棒材を一端側へスライドさせることで、該棒材が該受動部を押して、該ランスが撓み変形し、該係止部と前記係合部の係合が解除されることを特徴とするコネクタ。
【請求項２】
請求項１記載のコネクタにおいて、
複数の前記端子収容室が隣接配置され、
これら端子収容室の全てを貫通するように前記係合解除孔が前記側壁に形成されたことを特徴とするコネクタ。
【請求項３】
請求項１、または請求項２記載のコネクタにおいて、
前記受動部の前記係止部と連接する受動前端部が、端子挿入方向に対して平行に形成されたことを特徴とするコネクタ。
【発明の詳細な説明】
【技術分野】
【０００１】
本発明は、コネクタハウジングに組付けられた端子を抜き治具を用いて抜取ることができるコネクタに関する。
【背景技術】
【０００２】
この種の従来のコネクタとして、例えば、特許文献１に開示されたものが知られている。図５に示すように、コネクタハウジング１１０の前面に設けられた抜き治具穴１３１に抜き治具１６０を挿入し、抜き治具１６０の先端部の斜面でランス１２１を撓ませて、端子１４０とランス１２１との係合を解除し、端子１４０をコネクタハウジング１１０から抜取ることが、従来から行なわれている。そして、このようなコネクタ１０１では、抜き治具１６０を挿入する際に、抜き治具１６０の向きを間違えると、端子１４０やランス１２１が損傷、または破損するおそれがあった。そこで、特許文献１では、図６に示すように、抜き治具１６０の断面形状を複雑にして、所定の向きでなくては、抜き治具１６０を抜き治具穴１３１に挿入できないように構成し、端子１４０やランス１２１の損傷、および破損を防止している。
【特許文献１】特開２００１−１６７８３２号公報
【発明の開示】
【発明が解決しようとする課題】
【０００３】
しかしながら、前記従来のコネクタ１０１では、抜き治具穴１３１の断面形状に対応した専用の抜き治具を全て用意しなければならず、抜き治具の管理が煩雑であった。また、端子と可撓ランスとの係合が強固で、抜き治具を挿入しても可撓ランスを撓ませて、端子との係合を解除できない場合、抜き治具をさらに押込むことで、ランスが破損し、端子を引抜くことができなくなるおそれがあった。
【０００４】
そこで、本発明は、前記した課題を解決すべくなされたものであり、専用の抜き治具を廃止して抜き治具の管理を容易にするとともに、ランス、および端子を破損、損傷することなく確実に端子を引抜くことができるコネクタを提供することを目的とする。
【課題を解決するための手段】
【０００５】
請求項１の発明は、係合部を具備し、電線の一端に配置される端子金具と、該端子金具が収容される端子収容室と、該端子収容室を形成する壁に可撓性を有するランスと、該ランスに該端子収容室内へ突出する係止部とを備え、該端子収容室の背面側から該端子金具を挿入した際に、該係合部が該係止部に係合し、該端子金具が該端子収容室内に保持されるコネクタであって、前記ランスの前記係止部後方の背面側に、端子挿入方向に対して斜めに形成された受動部と、前記端子収容室の対向する両側壁に、長孔形状に、且つ一端側に該受動部が突出するように形成される係合解除孔とを備え、該係合解除孔の他端側に挿入した棒材を一端側へスライドさせることで、該棒材が該受動部を押して、該ランスが撓み変形し、該係止部と前記係合部の係合が解除されることを特徴とする。
【０００６】
請求項２の発明は、請求項１記載のコネクタにおいて、複数の前記端子収容室が隣接配置され、これら端子収容室の全てを貫通するように前記係合解除孔が前記側壁に形成されたことを特徴とする。
【０００７】
請求項３の発明は、請求項１、または請求項２記載のコネクタにおいて、前記受動部の前記係止部と連接する受動前端部が、端子挿入方向に対して平行に形成されたことを特徴とする。
【発明の効果】
【０００８】
以上説明したように、請求項１の発明によれば、係止部と係合部との係合を解除するために使用される棒材は、断面形状を問わず、係合解除孔に挿入可能な径を備えていれば抜き治具として使用できるため、汎用性が高く、抜き治具の管理を容易にできる。
【０００９】
また、係止部と係合部との係合を解除する際に、ランスに対して引張る方向に力が加わるため、係止部と係合部との係合が強固であっても、ランスが座屈することなく確実に係合を解除することができる。
【００１０】
請求項２の発明によれば、請求項１の発明の効果に加え、係合解除孔が端子収容室の全てを貫通するように形成されているので、複数の端子金具を一斉に引抜くことができる。
【００１１】
請求項３の発明によれば、請求項１、請求項２の発明の効果に加え、受動部の受動前端部が端子挿入方向に対して平行に形成されているので、端子金具の係合部とランスの係止部との係合が解除され、ランスが端子収容室の外側へ撓み変形した際に、受動前端部が端子挿入方向に対して斜めに位置する。これにより、係合部と係止部との係合が解除された時点で、端子金具が受動前端部に乗り上げているので、棒材を引抜いても端子金具を端子収容室から引抜くことができる。
【発明を実施するための最良の形態】
【００１２】
以下、本発明の一実施形態を図面に基づいて説明する。図１〜図４は本発明の一実施形態を示し、図１はコネクタハウジングに抜き治具を挿入した状態を示す斜視図、図２は図１のＡ−Ａ線に沿った断面図、図３はコネクタハウジングに挿入した抜き治具を解除操作した状態を示す斜視図、図４は図３のＢ−Ｂ線に沿った断面図である。なお、本願発明のコネクタは、互いに嵌合する一対のコネクタハウジングから構成されるが、端子金具の形状が異なるのみで、本願発明のコネクタハウジングにおける構成は同一であるため、一方（雌側）のコネクタハウジングを用いて説明する。
【００１３】
本願コネクタ１の一方のコネクタハウジング１０は、図１に示すように、６列２段の端子収容室１１が形成されている。各端子収容室１１のそれぞれには、端子金具４０が電線５０の一端に接続された状態で収容されている。
【００１４】
端子収容室１１は、図２に示すように、コネクタハウジング１０の前面側１０ａに設けられた端子接続孔１５と、背面側１０ｂに設けられた端子挿入孔１４とを連通するように形成されている。端子収容室１１は断面矩形形状に形成され、端子収容室１１を形成する底壁１２には、ランス２１が形成されている。
【００１５】
ランス２１は、可撓性を有するとともに、端子収容室１１内に突出する段部からなる係止部２２を備えている。また、ランス２１は、係止部２２の背面側に受動部２３を備えている。受動部２３は、コネクタハウジング１０の前後方向Ｘ（端子挿入方向）に対して斜めになるように形成されている。また、受動部２３の係止部２２と連接する受動前端部２４は、コネクタハウジング１０の前後方向Ｘ（端子挿入方向）に対して平行に形成され、ランス２１が端子収容室１１の外側へ撓み変形した際に、受動前端部２４がコネクタハウジング１０の前後方向Ｘ（端子挿入方向）に対して斜めに位置するように意図されている。
【００１６】
係合解除孔３１は、端子収容室１１を形成しつつ、対向する両側壁１３に形成されているが、６つの端子収容室１１が隣接配置されているため、これら端子収容室１１の全てを貫通するように形成されている。また、各係合解除孔３１は、前後方向Ｘに沿った直線上の長孔形状を備えており、孔の下側縁部３２が端子収容室１１の底壁１２表面に接しつつ、前端側にランス２１の受動部２３が突出するように配置されている。
【００１７】
抜き治具として使用される棒材６０は、係合解除孔３１に挿入可能な断面円形で、且つコネクタハウジング１０を貫通するに充分な長さとを備え、ランス２１の弾性力に抗するに充分な剛性を有する素材から形成されている。
【００１８】
次に、コネクタハウジング１０への端子金具４０の組付け手順を簡単に説明する。
【００１９】
まず、雌側の端子金具４０の先端をコネクタハウジング１０の端子挿入孔１４に挿入する。端子金具４０を端子収容室１１に挿入すると、端子金具４０の先端部４２が受動部２３に当接するが、さらに端子金具４０を端子収容室１１に挿入する。すると、受動部２３が斜面になっているので、係止部２２と受動部２３が端子収容室１１の外側へ押出されつつ、ランス２１が撓む。これにより、端子金具４０が端子収容室１１の最奥部まで挿入される。
【００２０】
端子金具４０が、端子収容室１１の最奥部まで挿入されると、ランス２１と係止部２２は当初の位置に弾性復帰する。これにより、端子金具４０の係合部４１と、ランス２１の係止部２２とが係合し、端子金具４０が端子収容室１１内に保持される。
【００２１】
上記と同様の組付け手順で、図示しない雄側のコネクタハウジングに雄側の端子金具を組付ける。そして、雌雄のコネクタハウジングを嵌合すると、端子挿入孔１４から端子収容室１１へ雌側の端子金具４０が挿入され、端子接続孔１５から雄側の端子（図示せず）が挿入されて、雄側の端子と雌側の端子金具４０が電気的に接続される。
【００２２】
次に、コネクタハウジング１０から端子金具４０を引抜く手順を簡単に説明する。
【００２３】
まず、抜き治具としての棒材６０を係合解除孔３１の後端側へ挿入し、コネクタハウジング１０を貫通させる。コネクタハウジング１０を貫通したまま、棒材６０を前端側へスライドさせて、棒材６０で受動部２３を押す。すると、係止部２２と受動部２３が端子収容室１１の外へ押出されつつ、ランス２１が撓む。係止部２２が端子収容室１１の外側へ押出されることで、係止部２２と係合部４１との係合が解除される。係止部２２と係合部４１との係合が解除されると、受動前端部２４がコネクタハウジング１０の前後方向Ｘ（端子挿入方向）に対して斜めに位置しているため、係止部２２と係合部４１との係合が解除された状態で端子金具４０をコネクタハウジング１０の背面側へ引張ると、端子金具４０により受動部２３が端子収容室１１の外へ押出され、端子金具４０がランス２１とともに後方へ移動する。そして、棒材６０が係合解除孔３１の後端側へ移動したところで、棒材６０を係合解除孔３１から引抜く。この位置では、端子金具４０はランス２１と係合可能な位置よりも後方へ移動しているので、棒材６０が無くてもランス２１と再度係合することはなく、端子金具４０が端子収容室１１から引抜かれる。
【００２４】
上記構成のコネクタ１では、係止部２２と係合部４１との係合を解除するために使用される棒材６０は、断面形状を問わず、係合解除孔３１に挿入可能な径を備えていれば抜き治具として使用できるため、汎用性が高く、抜き治具の管理を容易にできる。
【００２５】
また、係止部２２と係合部４１との係合を解除する際に、ランス２１に対してＸ方向に対し直交する方向に力が加わるため、係止部２２と係合部４１との係合が強固であっても、ランス２１が座屈することなく確実に係合を解除することができる。
【００２６】
係合解除孔３１が端子収容室１１の全てを貫通するように形成されているので、複数の端子金具４０を一斉に引抜くことができる。
【００２７】
受動部２３の受動前端部２４が端子挿入方向Ｘに対して平行に形成されているので、端子金具４０の係合部４１とランス２１の係止部２２との係合が解除され、ランス２１が端子収容室１１の外側へ撓み変形した際に、受動前端部２４が端子挿入方向Ｘに対して斜めに位置する。これにより、係合部４１と係止部２２との係合が解除された時点で、端子金具４０が受動前端部２４に乗り上げているので、棒材６０を引抜いても端子金具４０を端子収容室１１から引抜くことができる。
【００２８】
なお、本実施形態では、雌側のコネクタハウジング１０についてのみ説明したが、雄側のコネクタハウジング（図示せず）に係合解除孔を形成しても同様の作用効果が得られる。
【００２９】
また、既に完成しているコネクタについても、雌雄のコネクタハウジングのそれぞれに、係合解除孔を形成することで、同様の作用効果が得られるため、高い汎用性を備えているとともに、低コストで充分な作用効果が得られる。
【図面の簡単な説明】
【００３０】
【図１】本発明の一実施形態を示し、コネクタハウジングに抜き治具を挿入した状態を示す斜視図である。
【図２】本発明の一実施形態を示し、図１のＡ−Ａ線に沿った断面図である。
【図３】本発明の一実施形態を示し、コネクタハウジングに挿入した抜き治具を解除操作した状態を示す斜視図である。
【図４】本発明の一実施形態を示し、図３のＢ−Ｂ線に沿った断面図である。
【図５】従来例のコネクタハウジングの断面図である。
【図６】従来例のコネクタハウジング正面の要部拡大図である。
【符号の説明】
【００３１】
１…コネクタ
１１…端子収容室
１２…底壁（壁）
１３…側壁（壁）
２１…ランス
２２…係止部
２３…受動部
２４…受動前端部
３１…係合解除孔
４０…端子金具
４１…係合部
６０…棒材
Ｘ…前後方向（端子挿入方向）
【図１】
2009205906.tif 000003
【図２】
2009205906.tif 000004
【図３】
2009205906.tif 000005
【図４】
2009205906.tif 000006
【図５】
2009205906.tif 000007
【図６】
2009205906.tif 000008